(57)【特許請求の範囲】
【請求項１】
水源と水力発電設備の水車に連通する導管との間の水槽に設けられる除塵システムであって、
前記水槽の全幅に亘って設けられてゴミを捕捉するスクリーンと、
前記スクリーンの近傍又は前記スクリーン自体に設けられて前記スクリーンの表面に付着したゴミを取り除くための空気又は水の少なくとも何れか一方を噴流として噴射する噴射手段と、
前記水槽の水が所定の水位を超えた際に前記水槽の壁の上端面を超えて水及び前記ゴミを排出するための排出手段とを具備することを特徴とする除塵システム。
【請求項２】
前記スクリーンを挟んで前記水槽の上流側及び下流側に設けられて前記水槽の上流側と下流側との水位を検知する水位検知手段をさらに具備し、当該水位検知手段により検知された前記水槽の上流側の水位と下流側の水位との水位差に基づいて前記水車に対する取水を停止すると共に前記噴射手段を作動させることを特徴とする請求項１記載の除塵システム。
【請求項３】
前記スクリーンを挟んで前記水槽の下流側底部の流れ方向端部から壁面に亘って設けられて水面方向の水流を生成する曲率部をさらに具備することを特徴とする請求項１又は２の何れかに記載の除塵システム。
【請求項４】
水源と水力発電設備の水車に連通する導管との間の水槽に設けられる除塵システムにおいて、
前記水槽の全幅に亘って設けられてゴミを捕捉するスクリーンを挟んで前記水槽の上流側と下流側との水位差を検知する水位差検知工程と、
前記水位差が所定の大きさを超えた際に前記水車に対する取水を停止する停止工程と、
前記スクリーンの近傍又は前記スクリーン自体に設けられた噴射手段から空気又は水の少なくとも何れか一方を噴流として噴射して前記スクリーンの表面に付着したゴミを取り除くと共に前記ゴミを水面方向に押し上げる噴射工程と、
押し上げられた前記ゴミを前記水槽の壁の上端面を超えて排出する排出工程とを具備することを特徴とする除塵方法。
【発明の詳細な説明】
【技術分野】
【０００１】
本発明は、水源と水力発電設備の水車に連通する導管との間の水槽に設けられたスクリーンに付着したゴミを取り除くための除塵システムに関する。
【背景技術】
【０００２】
水力発電設備の水車に水を供給するための水槽には、水力発電設備の水車にゴミが侵入するのを防止するためのスクリーンが設けられている。スクリーンを設けることにより水力発電設備にゴミが侵入することを防止することができるが、スクリーン自体にゴミが付着して目詰まりが発生するため、スクリーンに付着したゴミを定期的に取り除く必要があった。従来は、レーキ式除塵機やネット式除塵機などの除塵機や、人手によってスクリーンに付着したゴミを取り除いていた。
【０００３】
しかしながら、従来の除塵機を設置するには多額の費用が必要となるという問題があった。また、人手によりゴミを取り除くには多額の人件費と多くの時間とが必要となるという問題があり、さらに台風等の災害時に除塵を行なう際には、現地までの道路の寸断により到着時間がかかるという問題や、緊急災害復旧工事が優先して除塵ができないという問題があった。
【０００４】
一方、水力発電設備の水車に水を供給するための水槽に設けられたスクリーンに付着したゴミを取り除くための除塵機として、様々なものが提案されているが（例えば特許文献１参照）、構造が複雑であるので除塵機自体が高価となるという問題や、その除塵機を設置するために多額の費用がかかるという問題があった。
【０００５】
【特許文献１】特開２００４−５０１１２号公報
【発明の開示】
【発明が解決しようとする課題】
【０００６】
本発明は、このような事情に鑑み、安価に構築でき、かつ、スクリーンの目詰まりを解消することができると共に、ゴミがスクリーンへ再付着するのを効果的に防止することができる除塵システムを提供することを課題とする。
【課題を解決するための手段】
【０００７】
上記課題を解決する本発明の第１の態様は、水源と水力発電設備の水車に連通する導管との間の水槽に設けられる除塵システムであって、前記水槽の全幅に亘って設けられてゴミを捕捉するスクリーンと、前記スクリーンの近傍又は前記スクリーン自体に設けられて前記スクリーンの表面に付着したゴミを取り除くための空気又は水の少なくとも何れか一方を噴流として噴射する噴射手段と、前記水槽の水が所定の水位を超えた際に前記水槽の壁の上端面を超えて水及び前記ゴミを排出するための排出手段とを具備することを特徴とする除塵システムにある。
【０００８】
かかる第１の態様では、安価に除塵システムを構築でき、かつ、スクリーンの目詰りを解消することができると共に、ゴミがスクリーンへ再付着するのを効果的に防止することができる。
【０００９】
本発明の第２の態様は、前記スクリーンを挟んで前記水槽の上流側及び下流側に設けられて前記水槽の上流側と下流側との水位を検知する水位検知手段をさらに具備し、当該水位検知手段により検知された前記水槽の上流側の水位と下流側の水位との水位差に基づいて前記水車に対する取水を停止すると共に前記噴射手段を作動させることを特徴とする第１の態様記載の除塵システムにある。
【００１０】
かかる第２の態様では、自動的にスクリーンの目詰りを解消することができると共に、ゴミがスクリーンへ再付着するのを効果的に防止することができる。
【００１１】
本発明の第３の態様は、前記スクリーンを挟んで前記水槽の下流側底部の流れ方向端部から壁面に亘って設けられて水面方向の水流を生成する曲率部をさらに具備することを特徴とする第１又は２の何れかの態様に記載の除塵システムにある。
【００１２】
かかる第３の態様では、効率的に水面方向への水流を生成することができる。
【００１３】
本発明の第４の態様は、水源と水力発電設備の水車に連通する導管との間の水槽に設けられる除塵システムにおいて、前記水槽の全幅に亘って設けられてゴミを捕捉するスクリーンを挟んで前記水槽の上流側と下流側との水位差を検知する水位差検知工程と、前記水位差が所定の大きさを超えた際に前記水車に対する取水を停止する停止工程と、前記スクリーンの近傍又は前記スクリーン自体に設けられた噴射手段から空気又は水の少なくとも何れか一方を噴流として噴射して前記スクリーンの表面に付着したゴミを取り除くと共に前記ゴミを水面方向に押し上げる噴射工程と、押し上げられた前記ゴミを前記水槽の壁の上端面を超えて排出する排出工程とを具備することを特徴とする除塵方法にある。
【００１４】
かかる第４の態様では、スクリーンの目詰りを解消することができると共に、ゴミがスクリーンへ再付着するのを効果的に防止することができる。
【発明の効果】
【００１５】
本発明によれば、既存の設備を利用して安価に構築でき、かつ、スクリーンの目詰まりを解消することができると共に、ゴミがスクリーンへ再付着するのを効果的に防止することができるので、除塵をするための費用を低減させることができるという効果を奏する。
【発明を実施するための最良の形態】
【００１６】
以下、図面を用いて本発明を実施するための最良の形態について説明する。なお、本実施形態の説明は例示であり、本発明の構成は以下の説明に限定されない。
【００１７】
（実施形態１）
図１は本発明に係る実施形態１の除塵システムの概略上面図であり、図２は図１に示すＡ−Ａ’面における断面図である。
【００１８】
図１及び図２に示すように、本実施形態の除塵システム１００は、水槽１１０の全幅に亘って設けられてゴミを捕捉するスクリーン１２０と、スクリーン１２０の上流側表面に設けられてスクリーン１２０の表面に付着したゴミを取り除くための空気又は水の少なくとも何れか一方を噴流として噴射する噴射手段の一部である噴射部１２１と、水槽１１０の水が所定の水位を超えた際に水槽１１０の壁の上端面を超えて水及びゴミを排出するための排出手段である排水路１３０とを具備し、さらに噴射手段の一部であって噴射部１２１に接続されて噴射部１２１に噴流を供給するためのポンプ１４０と、スクリーン１２０を挟んで水槽１１０の上流側及び下流側に設けられて水槽１１０の上流側と下流側との水位を検知する水位検知手段である上流側水位計１５０及び下流側水位計１５１と、スクリーン１２０の上部の全幅から排水路１３０に亘って設けられて水と共にゴミがスクリーン１２０の下流側の水槽１１０に流れ込むのを防止するための網目状部材１７０とを具備し、上流側水位計１５０により検知された水槽１１０の上流側の水位と下流側水位計１５１により検知された水槽１１０の下流側の水位との水位差に基づいて水力発電設備の水車に対する取水を停止すると共にポンプ１４０を作動させるようになっている。なお、本実施形態では、噴射手段は、スクリーン１２０の一部と、ポンプ１４０と、ポンプ１４０とスクリーン１２０とを接続する噴流供給管１４１とからなっている。
【００１９】
スクリーン１２０は、水槽１１０の全幅に亘って設けられ、水槽１１０を流れる水に含まれる流木などのゴミを捕捉できるものであれば特に限定されないが、防食性に優れたものが好ましいのはいうまでもない。本実施形態では、スクリーン１２０は、複数の管状部材１２２が所定の間隔を設けて並列に配置されており、それらの管状部材１２２の両端は管状部材１２２に対して垂直方向に配置された水平管状部材１２３ａ、１２３ｂで固定されている。なお、水平管状部材１２３ａと複数の管状部材１２２とは連通するようになっており、水平管状部材１２３ａの内部を流れる噴流が管状部材１２２の内部に流れ込むようになっている。
【００２０】
噴射部１２１は、スクリーン１２０を構成する管状部材１２２の上流側表面に設けられてスクリーン１２０の表面に付着したゴミを取り除くための空気又は水の少なくとも何れか一方、すなわち、空気、水、又はそれらを混合したものを噴流として噴射することができるものであれば構造などは特に限定されない。なお、本実施形態では、噴射部１２１は、スクリーン１２０の表面に付着したゴミを効率的に取り除けるようにスクリーン１２０の上流側表面に開口しているが、上流側方向だけでなく様々な方向に開口していてもよい。
【００２１】
排水路１３０は、水槽１１０の水が所定の水位を超えた際に水槽１１０の壁の上端面を超えて水及びゴミを排出することができるものであれば構造などは特に限定されない。
【００２２】
ポンプ１４０は、噴流供給管１４１、水平管状部材１２３ａ及び管状部材１２２を介して噴射部１２１に接続されて空気又は水の少なくとも何れか一方を噴流として噴射部１２１に供給することができるものであれば特に限定されないが、空気と水とを混合したものを噴流として供給することができるものが好ましい。空気と水とを混合したものを噴流として供給することができるものを用いると、スクリーン１２０の表面に付着したゴミを取り除くと共にそのゴミを水面方向へと効率的に押し上げることができる。
【００２３】
上流側水位計１５０及び下流側水位計１５１は、スクリーン１２０の上流側の水槽１１０及び下流側の水槽１１０に設けることができ、スクリーン１２０の上流側の水槽１１０の水位及び下流側の水槽１１０の水位を計測できるものであれば特に限定されないが、フロート式水位計が好ましい。なお、上流側水位計１５０及び下流側水位計１５１は、ポンプ１４０と図示しない水車に対する取水を制御する取水制御部１９０に接続されている。
【００２４】
網目状部材１７０は、スクリーン１２０の上部の全幅から排水路１３０に亘って設けられて水と共にゴミがスクリーン１２０の下流側の水槽１１０に流れ込むのを防止することができるものであれば特に限定されない。しかしながら、本実施形態では、下流側水位計１５１を通すことができる形状の網目状部材１７０を用いている。このような網目状部材１７０を用いることにより、ゴミが水と共にスクリーン１２０の下流側の水槽１１０に流れ込むのを防止しつつ、スクリーン１２０を挟んで下流側の水槽１１０の水位に応じて下流側水位計１５１は網目状部材１７０を通って上下方向に移動することができる。
【００２５】
なお、本実施形態では、排水路１３０の下方に水力発電設備の水車に連通する導管１１１が設けられ、その導管１１１には空気を導管１１１に取り入れるための空気弁１１２が設けられている。
【００２６】
次に、本実施形態の除塵システム１００の動作について説明する。水が水槽１１０に供給されると、図３に示すように、水はスクリーン１２０を通過して水力発電設備の水車に連通する導管１１１に流れ込む。その際に、水に流木などのゴミが含まれていると、それらのゴミは、スクリーン１２０により捕捉されて、スクリーン１２０の表面に付着することになる。そして、このようなスクリーン１２０によるゴミの除去が一定期間継続して行なわれると、スクリーン１２０の表面に大量のゴミが付着することによる目詰りが発生し、スクリーン１２０を挟んで水槽１１０の下流側に水が流れにくくなる。
【００２７】
すると、図４に示すように、スクリーン１２０を挟んで水槽１１０の上流側では水位が上昇するが、水槽１１０の下流側では水位が低下する。したがって、スクリーン１２０を挟んで水槽１１０の上流側の水位と下流側の水位との間に水位差が生ずることになる。この水位差は上流側水位計１５０及び下流側水位計１５１により検知された水位により求めることができる。
【００２８】
そして、この水位差が所定の値よりも大きくなると、まず水力発電機を停止させ、取水を止める。すると、水車に連通する導管１１１に水が流れ込まなくなるので、水槽１１０の上流側の水位と共に下流側の水位が上昇して、図５に示すように、排水路１３０に流れ込む水槽越流が生じ、水槽１１０内の水が排水路１３０から排出されることになる。
【００２９】
次に、図１に示すポンプ１４０が作動して、空気と水とを混合したものが噴流として供給される。噴流として供給された空気と水とを混合したものは、ポンプ１４０とスクリーン１２０とを接続する噴流供給管１４１、水平管状部材１２３ａ及び管状部材１２２の内部を通って、スクリーン１２０の表面に設けられた噴射部１２１から噴射される。すると、スクリーン１２０の表面に付着したゴミ１２４は、噴流によってスクリーン１２０の表面から取り除かれると共に、スクリーン１２０の上方の水面方向に押し出される。このようにして、スクリーン１２０の表面に付着していたゴミ１２４が取り除かれるので、スクリーン１２０の目詰まりを解消することができる。また、空気と水とを混合したものによって取り除かれたゴミ１２４はスクリーン１２０の上方の水面方向へと効率的に押し上げられるので、そのゴミ１２４がスクリーン１２０へ再付着するのを防止することができる。
【００３０】
そして、水面方向に押し上げられたゴミ１２４は、水槽越流に乗って排水路１３０に流れ込み、最終的には水と共に余水路１６０に排出されることになる。このようにして、スクリーン１２０に付着していたゴミ１２４がスクリーン１２０に再付着するのをより効果的に防止することができる。なお、余水路１６０に排出されたゴミ１２４は、余水路１６０に設けられた余水路用スクリーン１６１の表面に付着することになる。そして、余水路用スクリーン１６１に大量のゴミが付着すると、スクリーン１２０の場合と同様に余水路用スクリーン１６１を挟んで余水路１６０の下流側に水が流れ込みにくくなるが、スクリーン１２０の場合と異なり、下流側の水位が下がっても水力発電設備に何の影響も与えないのでそれほど問題とならない。
【００３１】
一方、スクリーン１２０の目詰りが解消されると共にすべてのゴミ１２４が排水路１３０に排水された後、水力発電機の運転を開始すると、水槽１１０の上流側の水が容易にスクリーン１２０を通過して水槽１１０の下流側に流れ込むので、水槽１１０の下流側の水位が低下すると共に上流側の水位が低下する。すると、水槽１１０の上流側の水位と下流側の水位とが等しくなり、スクリーン１２０が目詰りを起こす前の状態に戻ることになるので、適切に水を水力発電施設の水車に供給することができるようになる。すなわち、排水路１３０を通って余水路１６０に流れ込んでいた水がスクリーン１２０を通って水力発電施設の水車に連通する導管１１１に流れ込むことになり、無駄に排水されていた水を水力発電施設に供給することができるので、資源を有効に利用することができる。
【００３２】
以上説明したように、本実施形態の除塵システム１００は、既存の設備を利用して安価に構築でき、かつ、スクリーン１２０の目詰まりを解消することができると共に、ゴミがスクリーン１２０へ再付着するのをより効果的に防止することができる。
【００３３】
（実施形態２）
図６は本発明に係る実施形態２の除塵システムの概略上面図であり、図７は図６に示すＢ−Ｂ’面における断面図である。
【００３４】
図６及び図７に示すように、本実施形態の除塵システム１００Ａは、水槽１１０Ａの全幅に亘って設けられてゴミを捕捉するスクリーン１２０Ａと、スクリーン１２０Ａの上流側表面に設けられてスクリーン１２０Ａの表面に付着したゴミを取り除くための空気又は水の少なくとも何れか一方を噴流として噴射する噴射手段の一部である噴射部１２１Ａと、水槽１１０Ａの水が所定の水位を超えた際に水槽１１０Ａの壁の上端面を超えて水及びゴミを排出するための排出手段である排水路１３０Ａとを具備し、さらに噴射手段の一部であって噴射部１２１Ａに接続されて噴射部１２１Ａに噴流を供給するためのポンプ１４０Ａと、スクリーン１２０Ａを挟んで水槽１１０Ａの上流側及び下流側に設けられて水槽１１０Ａの上流側と下流側との水位を検知する水位検知手段である上流側水位計１５０Ａ及び下流側水位計１５１Ａと、水槽１１０Ａの下流側底部の流れ方向端部から壁面に亘って設けられて水面方向の水流を生成する曲率部１１３とを具備し、上流側水位計１５０Ａにより検知された水槽１１０Ａの上流側の水位と下流側水位計１５１Ａにより検知された水槽１１０Ａの下流側の水位との水位差に基づいて水車に対する取水を停止すると共にポンプ１４０Ａを作動させるようになっている。なお、本実施形態においても、噴射手段は、スクリーン１２０Ａの一部と、ポンプ１４０Ａと、ポンプ１４０Ａとスクリーン１２０Ａとを接続する噴流供給管１４１Ａとからなっている。
【００３５】
基本的な構成は、上述した実施形態１の除塵システム１００とほぼ同様であるが、本実施形態の除塵システム１００Ａは、排水路１３０Ａが水槽１１０Ａの長手方向ではなく、排水路１３０Ａと交差する方向に配置されている点と曲率部１１３が設けられている点が異なる。なお、本実施形態では、実施形態１の構成要素と同様の構成要素に、実施形態１と同じ番号にＡを付加した番号を付して示している。
【００３６】
曲率部１１３は、スクリーン１２０Ａを挟んで水槽１１０Ａの下流側底部の流れ方向端部から壁面に亘って設けられて水面方向の水流を生成することができるものであれば曲率や形状などは特に限定されない。曲率部１１３を設けることにより、水槽１１０Ａを流れる水源から導管１１１Ａ方向への水流の向きを水面方向により効率的に変化させることができる。そして、その水面方向の水流が水面に達すると、結果的に導管１１１Ａから水源方向への水流、すなわち反転水流を起こすことができる。
【００３７】
次に、本実施形態における本実施形態の除塵システム１００Ａの動作について説明する。水が水槽１１０Ａに供給されると、図８に示すように、水はスクリーン１２０Ａを通過して水力発電設備の導管１１１Ａに流れ込む。その際に、水に流木などのゴミが含まれていると、所定の大きさのゴミはスクリーン１２０Ａにより捕捉されてスクリーン１２０Ａの表面にそのゴミが付着することになる。そして、このようなスクリーン１２０Ａによるゴミの除去が一定期間継続して行なわれると、スクリーン１２０Ａの表面に大量のゴミが付着することによる目詰りが発生し、スクリーン１２０Ａを挟んで水槽１１０Ａの下流側に水が流れにくくなる。
【００３８】
すると、図９に示すように、スクリーン１２０Ａを挟んで水槽１１０Ａの上流側では水位が上昇するが、水槽１１０Ａの下流側では水位が低下する。したがって、スクリーン１２０Ａを挟んで水槽１１０Ａの上流側の水位と下流側の水位との間に水位差が生ずることになる。この水位差は上流側水位計１５０Ａ及び下流側水位計１５１Ａにより検知された水位により求めることができる。
【００３９】
そして、その水位差が所定の値よりも大きくなると、まず水力発電機を停止させ、取水を止める。すると、水車に連通する導管１１１Ａに水が流れ込まなくなるので、図１０に示すように、水槽１１０Ａの下流側の水位が上昇すると共に反転水流が発生し、さらに排水路１３０Ａに流れ込む水槽越流が生じる。そして、この反転水流と水槽越流とによって、水槽１１０Ａ内の水が排水路１３０Ａから排出されることになる。この際に、スクリーン１２０Ａの表面に付着していたゴミの一部も反転水流と水槽越流とによって水槽１１０Ａから排出される。
【００４０】
次に、図示しないポンプ１４０Ａが作動して、ポンプ１４０Ａから空気と水とを混合したものが噴流として供給される。すると、実施形態１と同様に、その空気と水とを混合したものによりスクリーン１２０Ａの表面に付着していたゴミ１２４Ａは、スクリーン１２０Ａの表面から取り除かれると共にスクリーン１２０Ａの上方の水面方向に押し出される。このようにして、スクリーン１２０Ａの表面に付着していたゴミ１２４Ａが取り除かれるので、スクリーン１２０Ａの目詰まりを解消することができる。また、空気と水とを混合したものによって取り除かれたゴミ１２４Ａはスクリーン１２０Ａの上方の水面方向へと効率的に押し上げられるので、そのゴミ１２４Ａがスクリーン１２０Ａへ再付着するのを防止することができる。
【００４１】
そして、水面方向に押し上げられたゴミ１２４Ａは、反転水流と水槽越流とに乗って排水路１３０Ａに流れ込み、最終的には水と共に図６に示す余水路１６０Ａに排出されることになる。このようにして、スクリーン１２０Ａに付着していたゴミ１２４Ａがスクリーン１２０Ａに再付着するのをより効果的に防止することができる。なお、余水路１６０Ａに排出されたゴミ１２４は、実施形態１と同様に余水路１６０Ａに設けられた余水路用スクリーン１６１Ａの表面に付着することになる。そして、余水路用スクリーン１６１Ａに大量のゴミが付着すると、スクリーン１２０Ａの場合と同様に余水路用スクリーン１６１Ａを挟んで余水路１６０Ａの下流側に水が流れ込みにくくなるが、スクリーン１２０Ａの場合と異なり、下流側の水位が下がっても水力発電設備に何の影響も与えないのでそれほど問題とならない。
【００４２】
一方、スクリーン１２０Ａの目詰りが解消されると共にすべてのゴミ１２４Ａが排水路１３０Ａに排水された後、水力発電機の運転を開始すると、水槽１１０Ａの上流側の水が容易にスクリーン１２０Ａを通過して水槽１１０Ａの下流側に流れ込むので、水槽１１０Ａの下流側の水位が低下すると共に上流側の水位が低下する。すると、水槽１１０Ａの上流側の水位と下流側の水位とが等しくなり、スクリーン１２０Ａが目詰りを起こす前の状態に戻ることになるので、適切に水を水力発電施設の水車に供給することができるようになる。すなわち、排水路１３０Ａを通って余水路１６０Ａに流れ込んでいた水がスクリーン１２０Ａを通って水力発電施設の水車に連通する導管１１１Ａに流れ込むことになり、無駄に排水されていた水を水力発電施設に供給することができるので、資源を有効に利用することができる。
【００４３】
このようにして、本実施形態の除塵システム１００Ａも、実施形態１の除塵システム１００と同様の効果を得ることができる。
【００４４】
（他の実施形態）
実施形態１及び２では、スクリーン１２０、１２０Ａ自体に噴射部１２１、１２１Ａを設けてスクリーンの表面に付着したゴミを取り除いていたが、スクリーン自体にではなく、スクリーンの近傍に噴射部を設けるようにしてもよい。具体的には、噴射部としてスクリーンの下流側近傍に開口を設けた管状部材を設け、その開口からスクリーンの表面に付着したごみを取り除くための空気又は水の少なくとも何れか一方を噴流として噴射できるようにしてもよい。このようにしても、実施形態１及び２と同様の効果が得られる。
【００４５】
また、実施形態１及び２では、スクリーン１２０、１２０Ａを１つしか用いていないが、例えば、スクリーンを構成する管状部材同士を隔てる間隔が広いスクリーンを水源側に配置し、その下流側にその間隔よりも狭い間隔のスクリーンを配置し、さらにその下流に、より狭い間隔のスクリーンを配置するようにしてもよい。このような複数のスクリーンを用いることにより、より効率的に水に含まれているゴミを取り除くことができる。
【００４６】
また、実施形態２の除塵システム１００Ａにおいて、充分な反転水流が生じない場合には、反転水流を起こすための反転水流発生手段を設けてもよい。具体的には、実施形態２のスクリーン１２０Ａを挟んで水槽１１０Ａの下流側の底部に水流ポンプを具備し、曲率部１１３の方向に向かって水を噴射するようにしてもよい。曲率部１１３の方向に水を噴射すると、その水は曲率部１１３に反射されて水面方向へのより強い水流が生じ、その水流が水面に達すると、結果的に導管１１１Ａから水源方向へのより強い反転水流を起こすことができる。このような構成とすることにより、スクリーン１２０Ａの下流側の水位がどのように変化しても水面付近により強い反転水流を起こすことができる。
【００４７】
また、水力発電機の運転を停止させるのではなく、運転状態で発電機の出力を絞り、余剰となる水により水槽越流を発生させると共に噴流を供給し、スクリーンに付着したゴミを取り除くようにしてもよい。すなわち、取水量を減少させることにより、水槽から取水される水の量よりも水槽に供給される水の量を多くさせて余剰となる水を強制的につくる。そして、その余剰となる水により水槽越流を発生させると共に噴流を供給することによって、スクリーンに付着したゴミを取り除くようにしてもよい。
【産業上の利用可能性】
【００４８】
本発明は、水力発電設備に水を供給するための水槽だけでなく、水を取水する際にゴミを取り除く必要がある水槽に適用可能である。
【図面の簡単な説明】
【００４９】
【図１】本発明に係る実施形態１の除塵システムの概略上面図である。
【図２】本発明に係る実施形態１の除塵システムのＡ−Ａ’断面図である。
【図３】本発明に係る実施形態１の除塵システムのスクリーンの表面にゴミが付着していない場合におけるＡ−Ａ’断面図である。
【図４】本発明に係る実施形態１の除塵システムのスクリーンの表面にゴミが付着した場合におけるＡ−Ａ’断面図である。
【図５】本発明に係る実施形態１の除塵システムで水槽越流が発生した場合におけるＡ−Ａ’断面図である。
【図６】本発明に係る実施形態２の除塵システムの概略上面図である。
【図７】本発明に係る実施形態２の除塵システムのＢ−Ｂ’断面図である。
【図８】本発明に係る実施形態２の除塵システムのスクリーンの表面にゴミが付着していない場合におけるＢ−Ｂ’断面図である。
【図９】本発明に係る実施形態２の除塵システムのスクリーンの表面にゴミが付着した場合におけるＢ−Ｂ’断面図である。
【図１０】本発明に係る実施形態２の除塵システムで水槽越流が発生した場合におけるＢ−Ｂ’断面図である。
【符号の説明】
【００５０】
１００、１００Ａ  除塵システム
１１０、１１０Ａ  水槽
１１１、１１１Ａ  導管
１１２、１１２Ａ  空気弁
１１３  曲率部
１２０、１２０Ａ  スクリーン
１２１、１２１Ａ  噴射部
１２２  管状部材
１２３ａ、１２３ｂ  水平管状部材
１２４、１２４Ａ  ゴミ
１３０、１３０Ａ  排水路
１４０、１４０Ａ  ポンプ
１４１  噴流供給管
１５０、１５０Ａ  上流側水位計
１５１、１５１Ａ  下流側水位計
１６０、１６０Ａ  余水路
１６１、１６１Ａ  余水路用スクリーン
１９０、１９０Ａ  取水制御部
【図１】
0004738130.tif 000002
【図２】
0004738130.tif 000003
【図３】
0004738130.tif 000004
【図４】
0004738130.tif 000005
【図５】
0004738130.tif 000006
【図６】
0004738130.tif 000007
【図７】
0004738130.tif 000008
【図８】
0004738130.tif 000009
【図９】
0004738130.tif 000010
【図１０】
0004738130.tif 000011